(57)【要約】【課題】ガス漏れ連動信号を火災連動信号と同じ信号線に送出しても、火災連動信号と誤認されずに正しく判別可能とする。【解決手段】タイミング生成部４は商用交流電源のゼロクロス検出信号の分周カウントに基づき、位相が異なり、所定パルス幅を持ち、所定周期で繰り返すガス漏れ種別に応じた複数のタイミング信号を生成する。連動信号出力部５はガス漏れ検出時に種別に応じたタイミング信号をガス漏れ連動信号として他の警報器との接続信号線に送出する。他の警報器から連動信号を受信するとタイミング生成部路４をリセットし、自己のタイミング信号を連動信号を送出した他の警報器のタイミング信号に同期させる。連動信号受信判別部７は、タイミング信号に同期して受信されたガス漏れ連動信号の種別を判別して他の警報器によるガス漏れ検知を警報させる。【選択図】          図１
2004199546.tif 000002
【特許請求の範囲】
【請求項１】
住戸内に設置された他の警報器と連動信号線により相互に接続され、商用交流電源の供給を受けて動作し、火災、ガス漏れ又は不完全燃焼を検知した際には警報器自身で警報すると共に他の警報器に連動信号を送出して警報させる警報器であって、
前記商用交流電源のゼロクロス検出信号の分周カウントに基づき、位相が異なり、所定パルス幅を持ち、所定周期で繰り返すガス漏れ又はＣＯ種別に応じた複数のタイミング信号を生成するタイミング生成部と、
ガス漏れ等検出時には検出種別に応じた前記タイミング信号をガス漏れ等連動信号として前記連動信号線に送出する連動信号出力部と、
他の警報器からいずれかの連動信号を受信した際に、前記タイミング回路をリセットし、自己のタイミング信号を前記連動信号を送出した他の警報器のタイミング信号に同期させるリセット処理部と、
前記リセット処理部による同期後に、前記タイミング信号に同期して受信されたガス漏れ等連動信号の種別を判別して他の警報器によるガス漏れ等検知を警報させる連動信号受信判別部と、
を備えたことを特徴とする警報器。
【請求項２】
請求項１記載の警報器であって、前記タイミング生成部は、商用交流電源の入力を全波整流した信号からゼロクロスを検出してゼロクロス検出信号を生成することを特徴とする警報器。
【請求項３】
請求項１記載の警報器であって、前記タイミング生成部は、ＣＯ検知とガス漏れ検知に対応して、同一パルス幅で同一周期で且つ位相が異なる２種類のタイミング信号を生成することを特徴とする警報器。
【請求項４】
請求項１記載の警報器であって、
前記連動信号出力部は、火災検出時は前記連動信号線に継続して火災連動信号を送出し、
前記連動信号受信判別部は、前記連動信号線から連動信号を所定時間継続して受信した際に火災連動を判別して他の警報器で火災が検知されたことを警報することを特徴とする警報器。
【請求項５】
住戸に設置されると共に同じ住戸に設置された他の警報器と信号線により相互に接続され、商用交流電源の供給を受けて動作し、火災又はガス漏れ等を検知した際には警報器自身で警報すると共に他の警報器に連動信号を送出して警報させる警報器の監視制御方法であって、
前記商用交流電源のゼロクロス検出信号の分周カウントに基づき、位相が異なり、所定パルス幅を持ち、所定周期で繰り返すガス漏れ種別に応じた複数のタイミング信号を生成するタイミング生成ステップと、
ガス漏れ等検出時には種別に応じた前記タイミング信号をガス漏れ等連動信号として他の警報器との接続信号線に送出する連動信号出力ステップと、
他の警報器からいずれかの連動信号を受信した際に、前記タイミング回路をリセットし、自己のタイミング信号を前記連動信号を送出した他の警報器のタイミング信号に同期させるリセット処理ステップと、
前記リセット処理による同期後に、前記タイミング信号に同期して受信されたガス漏れ等連動信号の種別を判別して他の警報器によるガス漏れ等検知を警報させる連動信号受信判別ステップと、
を備えたことを特徴とする警報器の監視制御方法。
【請求項６】
住戸に設置されると共に同じ住戸に設置された他の警報器と信号線により相互に接続され、商用交流電源の供給を受けて動作し、火災又はガス漏れ等を検知した際には警報器自身で警報すると共に他の警報器に連動信号を送出して警報させる警報器のコンピュータに、
前記商用交流電源のゼロクロス検出信号の分周カウントに基づき、位相が異なり、所定パルス幅を持ち、所定周期で繰り返すガス漏れ等種別に応じた複数のタイミング信号を生成するタイミング生成ステップと、
火災検出時は他の警報器との接続信号線に火災連動信号を継続して送出し、ガス漏れ検出時には種別に応じた前記タイミング信号をガス漏れ等連動信号として他の警報器との接続信号線に送出する連動信号出力ステップと、
他の警報器からいずれかの連動信号を受信した際に、前記タイミング回路をリセットし、自己のタイミング信号を前記連動信号を送出した他の警報器のタイミング信号に同期させるリセット処理ステップと、
前記リセット処理による同期後に、前記タイミング信号に同期して受信されたガス漏れ連動信号の種別を判別して他の警報器によるガス漏れ検知を警報させる連動信号受信判別ステップと、
を実行させることを特徴とするプログラム。
【発明の詳細な説明】
【０００１】
【発明の属する技術分野】
本発明は、住戸に設置された他の警報器と連動信号線により相互に接続され、火災、ガス漏れ又はＣＯを検知した際には警報器自身で警報すると共に他の警報器に連動信号を送出して警報させる警報器、監視制御方法及びプログラムに関する。
【０００２】
【従来の技術】
従来、住戸に設置されて火災を監視して警報する警報器として、住戸内の各部屋などに設置された複数の火災警報器を相互に接続して連動させる図１１のような連動型システムが知られている。
【０００３】
図１１の連動型システムにおいて、火災警報器１００は火災を検出して警報する機能を備えており、商用ＡＣ１００Ｖによる電源供給を受けて動作する。また火災警報器１００は連動信号線１０４により相互に接続され、火災を検知すると警報器自身で警報を出すと同時に、連動信号線１０４により相互接続されている他の警報器に連動信号を送出し、他の警報器に別の場所で、火災が起きたことを警報させている。更に連動信号はガス遮断弁を備えた他設備１０２にも出力され、火災が起きた際にガス遮断弁を閉鎖させることも可能であった。
【０００４】
このような連動型システムで火災警報器１００を連動信号線１０４により接続するための連動用インタフェース回路は既に規格化されたものが市販されている。図１２は連動用インタフェース回路であり、バイアス回路１０５、判定回路１０６、出力回路１０７、ダイオードＤ１１，Ｄ１２、連動信号線端子Ｂ＋，Ｂ−を備える。
【０００５】
火災検知されると、火災信号が出力回路１０７に入力して動作させ、連動信号線に例えば１０ｍＡ以下の連動信号電流を流すように電流を引き込む。このため他の火災警報器のインタフェース回路に設けている判定回路１０６が連動信号電流を検出して出力し、他の火災警報器で火災が検知されたことを警報させる。
【０００６】
一方、住戸に設置される警報器として、火災に加えガス漏れ等を監視して警報する警報器も知られているが、このガス漏れ等警報器については、住戸内の各部屋などに設置された複数の警報器を相互に接続して連動させるものはなかった。そこで、連動システムとして図１３のようなシステムが考えられる。
【０００７】
即ち、図１３は、住戸内の各部屋などに設置された火災やガス漏れを監視して警報する複数の警報器に後述する火災警報器１００を相互に接続して連動させる連動型システムである。
【０００８】
図１３の連動型システムにおいて、警報器１１０は火災、ＣＯ及びガス漏れの各検出警報機能を備えており、商用ＡＣ１００Ｖによる電源供給を受けて動作する。また警報器１１０以外に火災の検出警報機能のみを備えた火災警報器１００が複数設置される場合もある。
【０００９】
警報器１１０は火災を検知すると、警報器自身で警報を出すと同時に、連動信号線１１１により相互接続されている他の火災警報器１００に火災連動信号を送出し、他の火災警報器に別の場所で、火災が起きたことを警報させている。
【００１０】
しかしながら、警報器１１０には連動信号の受信機能がなく、火災信号は送出できるが、連動信号の受信はできず、現状では、複数の火災警報器１００だけが連動動作を行うだけである。
【００１１】
また警報器１１０はＣＯ又はガス漏れが起きた際にガス遮断弁を閉鎖させるための有電圧出力部を有し、ガス漏れ・ＣＯ信号線１１２に接続される。
【００１２】
ここで複数の警報器１１０を相互に接続する信号線として、火災連動信号線１１１とガス漏れ・ＣＯ信号線１１２を別々の２線信号線として設けていることになる。
【００１３】
このように別々の連動信号線を必要とする理由は、火災検知とＣＯ及びガス漏れ検知の信号出力形式が相違していることによる。通常、火災検知による外部への信号出力は、信号線間を低インピーダンスに短絡し、継続的に火災信号を出力する。これに対し、ＣＯ及びガス漏れ検知による外部への信号出力は、通常時は６ボルト、ガス漏れ検出で１２ボルト、ＣＯ検出で１８ボルトという有電圧信号を出力する。
【００１４】
【発明が解決しようとする課題】
しかしながら、このような従来の複数の火災とガス漏れ検知機能を併せ持つ警報器を連動システムとして使用しようとすると、火災連動信号線とガス漏れ等連動信号線を別途に用意する必要があり、施工上、機器構成上の問題となる。
【００１５】
そこで、図１２のように仕様が規格化され市販している連動用インタフェース回路を、図１３の火災とガス漏れ等検知機能をもつ警報器１１０及び火災警報器１００に設け、共通の連動信号線で接続することが考えられる。
【００１６】
図１２の連動用インタフェース回路を用いて図１３の連動型システムで連動信号線を１回線とするためには、ＣＯ信号やガス漏れ信号を火災信号と誤認されないように連動型を構成する必要にある。
【００１７】
ここで図１２のインタフェース回路を用いた警報器は最大１０台まで接続可能である。このため、極端な例であるが、火災警報器１００が１台で、残りの９台を火災及びガス漏れ等の警報器１１０とした場合、９台全ての警報器がＣＯ信号又はガス漏れ信号を発報した場合でも、火災警報器１００は火災信号と認識しない必要がある。
【００１８】
図１２の連動用インタフェース回路は、連動信号線間に、例えば２００ｍＡ以上の電流を供給可能な方法で連動信号電流を流すことができる。即ち、１台当たりが流す連動信号電流を例えば１０ｍＡとすると、１０台全てが動作した場合には、
１０ｍＡ×１０台＝１００ｍＡ
となり、十分に余裕がある。
【００１９】
また従来の火災警報器１００は、例えば１００ｍｓｅｃ程度の短時間、連動信号線間を短絡しても連動受信警報を出力しないようにしてある。これは連動信号線へのノイズ等の影響で火災警報器１００が誤動作しないようにするためで、例えば連動信号電流が５００ｍｓｅｃ以上継続しないと火災連動動作を行なわないように構成しているのが一般的である。
【００２０】
そこで火災連動信号電流とガス漏れ等連動信号電流を同じ連動信号線に流して区別させるためには、例えばガス漏れ発報の際にガス漏れ等連動信号電流として、１００ｍｓｅｃのパルス電流を例えば１秒周期で流すことが考えられる。
【００２１】
しかし、９台の警報器１１０が任意の時間に全てガス漏れ発報したと仮定すると、最悪条件では、１００ｍｓｅｃ×９＝９００ｍｓｅｃ（０．９秒）間、パルス電流が連続することを想定しなければならない。これでは火災警報器１００が例えば５００ｍｓｅｃ継続したときに火災連動信号を受信したと判別して誤って火災連動動作をしてしまう。
【００２２】
このように、図１２の連動用インタフェース回路は元々火災連動を対象としているため、同じ連動信号線にガス漏れやＣＯ警報の所定のパルス幅と周期を持つガス漏れ等の連動信号を送出した場合、状況によっては、火災連動信号と誤認識し、連動警報が正確にできない可能性が残る。
【００２３】
本発明は、ガス漏れ等連動信号を火災連動信号と同じ連動信号線に送出しても、火災連動信号と誤認されずに正しく判別できる警報器、監視制御方法及びプログラムを提供することを目的とする。
【００２４】
【課題を解決するための手段】
この目的を達成するため本発明は次のように構成する。本発明は、住戸に設置されると共に同じ住戸に設置された他の警報器と信号線により相互に接続され、商用交流電源の供給を受けて動作し、火災、ガス漏れ又は不完全燃焼を検知した際には警報器自身で警報すると共に他の警報器に連動信号を送出して警報させる警報器を対象とする。
【００２５】
このような警報器につき本発明にあっては、商用交流電源のゼロクロス検出信号の分周カウントに基づき、位相が異なり、所定パルス幅を持ち、所定周期で繰り返すガス漏れ又はＣＯ種別に応じた複数のタイミング信号を生成するタイミング生成部と、ガス漏れ等検出時に種別に応じたタイミング信号をガス漏れ等連動信号として他の警報器との接続信号線に送出する連動信号出力部と、他の警報器からいずれかの連動信号を受信した際にタイミング回路をリセットし、自己のタイミング信号を連動信号を送出した他の警報器のタイミング信号に同期させるリセット処理部と、リセット処理部による同期後に、タイミング信号に同期して受信されたガス漏れ等連動信号の種別を判別して他の警報器によるガス漏れ等検知を警報させる連動信号受信判別部とを備えたことを特徴とする。
【００２６】
このため本発明の警報器は、複数の警報器を同じ連動信号線に相互に接続して連動動作を行う連動システムを構築した場合、ガス漏れ連動信号を火災連動信号と誤認することがなく、火災またはガス漏れに伴う連動信号を正しく受信判別して警報できる。
【００２７】
また火災連動信号とガス漏れ連動信号という異なる２種類の連動信号が同じ信号線に送出できるため、複数の警報器を相互に接続する信号線が１回線で済み、連動型システムが簡単且つ低コストで実現できる。
【００２８】
ここでタイミング生成部は、商用交流電源の入力を全波整流した信号からゼロクロスを検出してゼロクロス検出信号を生成する。これは半波整流によるゼロクロス検出では、警報器のコンセントを逆に差込んだ時の交流信号位相の逆転によるタイミングずれを、全波整流とすることで解消している。
【００２９】
タイミング生成部は、ＣＯ検知とガス漏れ検知に対応して、同一パルス幅で同一周期で且つ位相が異なる２種類のタイミング信号を生成する。これにより種類の異なる少なくとも２つのガス漏れ等信号につき個別に連動動作を行わせることできる。
【００３０】
連動信号出力部は、火災検出時は前記連動信号線に継続して火災連動信号を送出し、この場合、連動信号受信判別部は、連動信号線から連動信号を所定時間継続して受信した際に火災連動を判別して他の警報器で火災が検知されたことを警報する。
【００３１】
本発明は、住戸に設置されると共に同じ住戸に設置された他の警報器と信号線により相互に接続され、商用交流電源の供給を受けて動作し、火災又はガス漏れ等を検知した際には警報器自身で警報すると共に他の警報器に連動信号を送出して警報させる警報器の監視制御方法を提供する。
【００３２】
この警報器の監視制御方法は、
商用交流電源のゼロクロス検出信号の分周カウントに基づき、位相が異なり、所定パルス幅を持ち、所定周期で繰り返すガス漏れ種別に応じた複数のタイミング信号を生成するタイミング生成ステップと、
ガス漏れ等検出時に種別に応じた前記タイミング信号をガス漏れ連動信号として他の警報器との接続信号線に送出する連動信号出力ステップと、
他の警報器からいずれかの連動信号を受信した際に、前記タイミング回路をリセットし、自己のタイミング信号を前記連動信号を送出した他の警報器のタイミング信号に同期させるリセット処理ステップと、
リセット処理による同期後に、タイミング信号に同期して受信されたガス漏れ連動信号の種別を判別して他の警報器によるガス漏れ検知を警報させる連動信号受信判別ステップと、
を備えたことを特徴とする。
【００３３】
また本発明は、警報器のコンピュータで実行されるプログラムを提供する。このプログラムは、住戸に設置されると共に同じ住戸に設置された他の警報器と信号線により相互に接続され、商用交流電源の供給を受けて動作し、火災又はガス漏れ等を検知した際には警報器自身で警報すると共に他の警報器に連動信号を送出して警報させる警報器のコンピュータに、
商用交流電源のゼロクロス検出信号の分周カウントに基づき、位相が異なり、所定パルス幅を持ち、所定周期で繰り返すガス漏れ等種別に応じた複数のタイミング信号を生成するタイミング生成ステップと、
ガス漏れ等検出時に種別に応じた前記タイミング信号をガス漏れ等連動信号として他の警報器との接続信号線に送出する連動信号出力ステップと、
他の警報器からいずれかの連動信号を受信した際に、前記タイミング回路をリセットし、自己のタイミング信号を連動信号を送出した他の警報器のタイミング信号に同期させるリセット処理ステップと、
リセット処理による同期後に、タイミング信号に同期して受信されたガス漏れ連動信号の種別を判別して他の警報器によるガス漏れ検知を警報させる連動信号受信判別ステップと、
を実行させることを特徴とする。
【００３４】
【発明の実施の形態】
図１は本発明の警報器を複数用いた連動型システムの説明図である。
【００３５】
図１において、本発明が監視対象とする住戸内には例えば部屋ごとに分けて本発明の警報器１ａ，１ｂ，１ｃが設置されており、警報器１ａ〜１ｃは火災、ＣＯ及びガス漏れをそれぞれ検知して警報する機能を備える。
【００３６】
また本発明の警報器１ａ〜１ｃ以外に、別の部屋には図１１に示したと同じ火災を検知して警報する従来の火災警報器１００が設置されている。
【００３７】
本発明の警報器１ａ〜１ｃは電源プラグ２を部屋の商用ＡＣ１００Ｖのコンセントに差し込むことで電源供給を受けて動作する。この点は火災警報器１００についても電源プラグ２をコンセントに差すことで商用ＡＣ１００Ｖを受けて動作する。
【００３８】
警報器１ａ〜１ｃ及び火災警報器１００は、連動信号線３より相互に接続されている。また連動信号線３には他設備１０２として例えばガス遮断弁などが接続されている。
【００３９】
本発明の警報器１ａ〜１ｃのそれぞれは火災、ＣＯ又はガス漏れ検出した際に警報器自身で警報を出すとともに、それぞれの検出信号種別に応じた連動信号を連動信号線３に出力し、他の警報器に火災、ＣＯ、ガス漏れが検知されたことの警報動作を行わせる。
【００４０】
本発明にあっては火災、ＣＯ、ガス漏れという３種類の連動信号に対し、２線の連動信号線３の１回線で相互に接続している。ここで警報器１ａ〜１ｃが出力される火災連動信号は、連動信号線３の２線間を低インピーダンスに短絡して継続的に信号電流を流す。これに対しＣＯ及びガス漏れの各連動信号は、パルス幅が同一で繰り返し周期が同じであるが、位相が異なったパルス信号として送出される。
【００４１】
図２は、図１に示している本発明の警報器１ａ〜１ｃ、タイミング生成部４、連動信号出力部５、リセット処理部６、連動信号受信判別部７及び警報処理部８を備える。
【００４２】
タイミング生成部４は、商用電源ＡＣ１００Ｖのゼロクロス検出信号の分周カウントに基づき、位相が異なり、所定のパルス幅を持ち、かつ所定周期で繰り返すガス漏れ種別、すなわちＣＯ及びガス漏れの各々に応じた２種類のタイミング信号を生成し、連動信号出力部５及び連動信号受信判別部７に出力している。
【００４３】
連動信号出力部５は、警報処理部８より出力される火災検出信号、ＣＯ検出信号又はガス漏れ検出信号が得られた時に、他の警報器を接続している連動信号線に対する連動端子Ｂ＋，Ｂ−に対し、連動信号を出力する。
【００４４】
連動信号出力部５が出力する連動信号は、火災検出時の火災連動信号については、連動信号線に火災連動信号を継続して送出する。またＣＯ検出時又はガス漏れ検出時には、パルス幅及び繰り返し周期が同じで、位相の異なるタイミング信号をＣＯ連動信号及びガス漏れ連動信号として連動信号線に出力する。
【００４５】
リセット処理部６は、連動信号出力部５を介して、他の警報器から火災、ＣＯ、ガス漏れのいずれかの連動信号を受信した際に、タイミング生成部４における交流入力のゼロクロス検出信号の分周カウントに基づくタイミング生成処理をリセットし、自己のタイミング信号を連動信号を送出した他の警報器のタイミング信号に同期させる。
【００４６】
連動信号受信判別部７は、リセット処理部６による他の警報器からの連動信号受信に基づくタイミング生成部４のリセットによる同期後に、タイミング信号に同期して受信されたＣＯ連動信号またはガス漏れ連動信号の種別を判別して、他の警報器によりＣＯ検知またはガス漏れ検知が行われたことを警報処理部８から、例えば音声メッセージの出力により警報させる。
【００４７】
図３は、図２の機能構成を持つ本発明の警報器の具体的な回路構成を示した回路ブロック図である。
【００４８】
図３において、タイミング生成部４はＡＣ１００Ｖを入力した電源トランス９、ダイオードブリッジを用いた全波整流回路１０、抵抗Ｒ１、ダイオードＤ１、コンデンサＣ１を前段に備えた定電圧回路１１、抵抗Ｒ２，Ｒ３，Ｒ４及びトランジスタＴＲ１で構成されたゼロクロス検出回路、１／１０分周回路１２、単安定マルチバイブレータ１３、１４で構成される。
【００４９】
またこのタイミング生成部４には整流回路１５と１１Ｖ定電圧回路１６が別途設けられ、連動信号出力のための電源供給を行っている。
【００５０】
連動信号出力部５には、優先処理／同期回路１７、連動信号出力回路１８、連動信号受信回路１９が設けられ、また連動信号線が接続される連動端子Ｂ＋，Ｂ−間に逆接続時の保護用ダイオードＤ３と連動信号受信回路１９の連動端子Ｂ＋のライン電圧にレベル差があっても影響を受けないようにする逆流防止ダイオードＤ４を設けている。
【００５１】
図２のリセット処理部６は、この実施形態ではリセット回路６ａとなっており、５Ｖレベル変換回路２０より他の警報器からの連動信号の受信に応じた変換信号が得られると動作し、タイミング生成部４に設けている１／１０分周回路１２をリセットするようにしている。
【００５２】
連動信号受信判別部７は、ＣＯ用のＡＮＤ回路２１、ガス漏れ用のＡＮＤ回路２２、２パルス連続検出回路２６、リトリガブルタイマー回路２７、ＣＯ判断回路２８、火災／ＣＯ／ガス漏れ優先判断回路２９及び音声合成選択回路３０を備えている。
【００５３】
ここでＣＯ判断回路２８は、この中にガス漏れ判断回路としての機能を実現するパルス幅検出回路２５、２パルス連続検出回路２６及びリトリガブルタイマー回路２７と同じ回路が同様に設けられている。
【００５４】
警報処理部８には検知信号入力回路３１、スピーカ３４、音声警報器機能を備えた警報器本体回路３２、他の警報器４６に対する入出力制御回路３３、表示灯制御回路３５及び音響停止／点検スイッチ制御回路３６を設けている。
【００５５】
ここで検知信号入力回路３１にはスイッチ接点で簡略表示された火災センサ３７、ＣＯセンサ３８、ガス漏れセンサ３９が設けられ、更に音響停止／点検スイッチ４０が設けられている。
【００５６】
また表示灯制御回路３５には電源表示灯４１、火災表示灯４２、ＣＯ表示灯４３及びガス漏れ表示灯４４が設けられている。
【００５７】
このような図３の本発明の警報器について、まずタイミング生成部４の回路機能を説明する。タイミング生成部４にあってはＡＣ１００Ｖを電源トランス９に入力し、その２次巻線出力に設けた全波整流回路１０により、交流入力を全波整流して、トランジスタＴＲ１を備えたゼロクロス検出回路に入力している。
【００５８】
図４（Ａ）は警報器の電源トランス９に対する交流入力である。この交流入力は警報器に設けている電源プラグを部屋のコンセントに逆に差し込むと図４（Ｂ）のように位相が逆転する。全波整流回路１０の全波整流出力は図４（Ｃ）のようになる。この全波整流出力の特徴は図４（Ａ）及び位相が逆転した図４（Ｂ）の交流入力のいずれについても同じ全波整流波形が得られる点である。
【００５９】
図４（Ｄ）は、図４（Ａ）の交流入力の半波整流波形であり、また図４（Ｅ）は図４（Ｂ）の位相が逆転した場合の半波整流波形である。このように交流入力の半波整流を使うと交流入力の位相の逆転に対し、半波整流波形のゼロクロスのタイミングが変わってしまい、本発明のタイミング生成部４の、タイミング生成の基礎となる交流入力のゼロクロス検出のタイミングが変化してしまう。
【００６０】
図５は、図３のタイミング生成部４における交流入力のゼロクロス検出とＣＯ、ガス漏れ及び火災信号との関係を示している。
【００６１】
図５（Ａ）はＡＣ１００Ｖの商用交流電源で５０Ｈｚを例にとっており、１サイクルの周期は２０ｍｓｅｃとなっている。このＡＶ１００Ｖの交流電源入力をパルス化すると、図５（Ｂ）のようなゼロクロス信号が得られる。この５０ＨｚのＡＣ１００Ｖ商用電源の場合、ゼロクロス信号のパルス幅は１０ｍｓｅｃである。
【００６２】
なお、図３のトランジスタＴＲ１にあっては、交流入力のゼロクロス部分でオフ、それ以外の部分でオンするため、実際には図６（Ｃ）のようなゼロクロス信号が得られる。
【００６３】
図５（Ｂ）のゼロクロス信号は１／１０分周回路１２に入力され、図５（Ｃ）のパルス幅１０ｍｓｅｃを持ち、周期Ｔ＝１００ｍｓｅｃで繰り返すパルス信号となる。
【００６４】
１／１０分周回路１２の出力は単安定マルチバイブレータ１３に入力され、図５（Ｄ）に示すＣＯ同期信号Ｅ１を出力する。このＣＯ同期信号Ｅ１は分周信号の時刻ｔ１での立ち上がりに同期したパルス幅５ｍｓｅｃで、且つ分周信号と同じ周期Ｔ＝１００ｍｓｅｃで繰り返すパルス信号である。
【００６５】
単安定マルチバイブレータ１３から出力されるＣＯタイミング信号Ｅ１は、さらに単安定マルチバイブレータ１４に入力され、図５（Ｅ）に示すガス漏れ同期信号Ｅ２を出力する。このガス漏れ同期信号Ｅ２はＣＯ同期信号Ｅ１の立下りに同期して立ち上がり、パルス幅が同じく５ｍｓｅｃであり、周期は分周パルス信号と同じＴ＝１００ｍｓｅｃとなっている。
【００６６】
すなわちＣＯ同期信号Ｅ１とガス漏れ同期信号Ｅ２は、パルス幅と周期が同じで、位相が異なった信号となっている。この図５（Ｄ）（Ｅ）に示すＣＯ同期信号Ｅ１及びガス漏れ同期信号Ｅ２は、ＣＯ検出時またはガス漏れ検出時に、そのまま連動信号出力回路１８より、ＣＯ連動信号電流及びガス漏れ連動信号電流を連動信号線に流して他の警報器に送出される。
【００６７】
図５（Ｆ）は火災連動信号であり、例えば時刻ｔ１で受信されたとすると継続的に信号が維持される。
【００６８】
このような図３におけるタイミング生成部４にあっては、図１のように複数の警報器１ａ〜１ｃを連動信号線３で相互に接続して、電源プラグ２を電源コンセントに差し込んで動作状態としたとき、それぞれの警報器１ａ〜１ｃにあっては、固有のタイミングでタイミング生成部４が動作を開始するため、タイミング信号は非同期の状態となっている。
【００６９】
このような各警報器におけるタイミング信号の非同期状態に対し、本発明の警報器にあっては、他の警報器からの連動信号を連動信号受信回路１９で受信して５Ｖレベル変換回路２０より信号出力が得られると、リセット回路６ａが動作し、１／１０分周回路１２のリセット動作を行う。
【００７０】
このような連動信号の受信によるリセット動作は、連動信号を受信した全ての警報器で同時に行われ、この結果、連動信号を出力した警報器のタイミング信号に連動信号を受信した他の警報器のタイミング信号が同期されることになる。
【００７１】
このような複数の警報器において連動信号の受信に基づくリセット動作でタイミング信号の同期がとられると、同期がとられた後の図５（Ｄ）（Ｅ）に示すＣＯタイミング信号Ｅ１と同じＣＯ連動信号、及びガス漏れ同期信号Ｅ２と同じガス漏れ連動信号について、もし同時に複数の警報器から連動信号出力が行われても、警報器のタイミングは同期がとられているため複数のＣＯ連動信号もしくはガス漏れ連動信号が連動信号線に出力されてもこれらは同一タイミングで受信され、連動信号電流は増加するが連動信号のパルス幅及び周期は全て一致する。
【００７２】
また種類の異なるＣＯ連動信号とガス漏れ連動信号は、図５（Ｄ）（Ｅ）のＣＯ同期信号Ｅ１およびガス漏れ同期信号Ｅ２に同期して連動信号線に電流を流れており、例えば連動信号線に接続可能な警報器が１０台で、そのうち１台が図１のように火災検知のみを行う火災警報器１００であり、残り９台が本発明の火災、ＣＯ及びガス漏れ検知ができる警報器１であった場合、従来の本発明の警報器１が同時にＣＯ連動信号又はガス漏れ連動信号を出力したとしても、タイミング同期がとられていることで、全て同一タイミングで受信され、継続して得られる火災連動信号に対し、明確に区別して判別することができる。
【００７３】
一方、火災連動信号は継続的に出力されることから、このとき重複してＣＯ連動信号またはガス漏れ連動信号が出力されていたとしても、火災連動信号によりマスクされ、火災連動信号が優先的に受信処理されることになる。
【００７４】
次に図３における本発明の警報器の動作を図６のタイムチャートを参照して説明する。
【００７５】
図３の電源トランス９に対するＡＣ１００Ｖの入力で得られた２次側の出力は、図６（Ａ）のような例えば５０Ｈｚの交流波形であり、これが全波整流回路１０に入力されて全波整流されることで図６（Ｂ）のような全波整流出力となる。
【００７６】
この全波整流出力はトランジスタＴＲ１のベースに入力され、これによって電源トランス、２次出力の交流波形のゼロクロスに同期したゼロクロス検出信号がＴＲ１コレクタ出力として図６（Ｃ）のように得られる。
【００７７】
ＴＲ１コレクタ出力は１／１０分周回路１２に入力され、５０Ｈｚであることからパルス幅が１０ｍｓｅｃで周期Ｔが１００ｍｓｅｃとなる図６（Ｄ）の分周出力が得られる。
【００７８】
この分周出力は単安定マルチバイブレータ１３に入力され、図５（Ｄ）に示しているＣＯ同期信号Ｅ１を図６（Ｅ）のように出力する。単安定マルチバイブレータ１３の出力は単安定マルチバイブレータ１４に入力され、これにより図５（Ｅ）に示しているガス漏れ同期信号を図６（Ｆ）のように出力する。
【００７９】
図６（Ｇ）は他の警報器で生成されている１／１０分周回路１２の分周パルスであり、図６（Ｄ）の警報器自身の分周パルスに対してはこの段階では同期ズレを起こしている。
【００８０】
この最初の段階における警報器におけるタイミング信号の生成状態で、図６（Ｈ）の時刻ｔ１において警報器自身がガス漏れを検出して検知信号入力回路３１より図６（Ｈ）のようなガス漏れ信号を受けたとすると、このガス漏れ信号は優先処理／同期回路１７に入力される。
【００８１】
優先処理／同期回路１７には単安定マルチバイブレータ１４より図６（Ｆ）のようなガス漏れ同期信号Ｅ２が入力されているため、両者のＡＮＤをとることにより優先処理／同期回路１７がパルス信号を出力し、これにより連動信号出力回路１８を動作して連動信号線が接続している連動端子Ｂ＋，Ｂ−間をスイッチングし、１０ｍＡを超えない所定の連動信号電流を連動信号線に流す。
【００８２】
即ち、時刻ｔ４のタイミングで図６（Ｉ）の優先処理／同期回路出力が得られ、連動信号出力回路１８によりガス漏れ連動信号電流が連動信号線に流れる。この連動信号出力回路１８によるガス漏れ連動信号電流は、警報器自身に設けている連動信号受信回路１９にダイオードＤ４を介して流れ、このため連動信号受信回路１９が自分自身のガス漏れ連動信号電流を検出して５Ｖレベル変換回路２０に出力し、図６（Ｊ）のように５Ｖレベル変換出力を生ずる。
【００８３】
この５Ｖレベル変換出力を受けてリセット回路部６ａがリセット信号を図６（Ｋ）のように出力し、１／１０分周回路１２にリセットをかける。ガス漏れ警報を行った警報器自身にあっては、自分自身のタイミング信号によるガス漏れ連動信号の送出であることから、リセットを行っても図６（Ｄ）の１／１０分周回路の分周出力のタイミングに変化はない。
【００８４】
これに対し図６（Ｇ）のように異なるタイミングで分周出力を生じている他の警報器にあっては、同様にしてガス漏れ連動信号の受信タイミングでリセット回路部６ａがリセット信号を出力して、その１／１０分周回路１２にリセットをかけるため、連動信号を出力した警報器と同じタイミングに分周出力がセットされ、これによってタイミング信号の複数の警報器の同期が取られる。
【００８５】
ガス漏れ連動信号の送出による複数の警報器におけるタイミング信号の同期がとられた後は、連動信号受信判別部７によるガス漏れ連動信号の受信判別が行われる。
【００８６】
すなわち同期がとられた後の単安定マルチバイブレータ１３及び単安定マルチバイブレータ１４からのＣＯ同期信号Ｅ１及びガス漏れ同期信号Ｅ２は、それぞれＣＯ用のＡＮＤ回路２１及びガス漏れ用のＡＮＤ回路２２に入力されている。
【００８７】
またＡＮＤ回路２１，２２には５Ｖレベル変換回路２０より連動信号受信回路１９で受信されたガス漏れ連動信号の変換出力が入力されている。もちろん５Ｖレベル変換回路２０の連動信号変換出力は、火災信号判断回路２３にも入力されている。この例で火災信号判断回路２３はたとえば連動信号が２００ｍｓｅｃ以上接続した時に接続したときに火災判断信号Ｅ５を出力する。
【００８８】
いま、タイミング同期がとられた後、５Ｖレベル変換回路２０からはガス漏れ連動信号の変換出力が得られているため、ガス漏れ用のＡＮＤ回路２２において単安定マルチバイブレータ１４からのガス漏れ同期信号Ｅ２との論理積がとられ、ＡＮＤ回路２２がガス漏れ連動信号の変換出力のＨレベルに同期してパルス幅検出回路２５にＨレベル出力を送出する。
【００８９】
パルス幅検出回路２５は、約３．５ｍｓｅｃ以下のノイズ信号を除去するために設けており、正常なパルス幅は５ｍｓｅｃであることから、ノイズがなければパルス幅検出回路２５は図６（Ｌ）のような検出出力を生ずる。
【００９０】
パルス幅検出回路２５の出力は２パルス連続検出回路２６に入力され、図６（Ｍ）のように、時刻ｔ６と時刻ｔ７を２回連続してパルスが出力されると、２パルス連続検出回路２６が出力する。
【００９１】
２パルス連続検出回路２６の出力はリトリガブルタイマー回路２７に入力される。リトリガブルタイマー回路２７は例えば約４７０ｍｓｅｃ以内に２パルス連続検出回路２６の出力が得られれば、連続したＨレベルのガス漏れ信号Ｅ７を出力し続ける。
【００９２】
これに対し２パルス連続検出回路２６がリトリガブルタイマー回路２７に設定している４７０ｍｓｅｃを超えたタイミングで出力すると、リトリガブルタイマー回路２７は復旧してガス漏れ判断信号Ｅ７をＬレベルとする。これによって一時的な誤動作でガス漏れ連動信号が出力されても、連動信号が復旧すれば、その後、ガス漏れ判断信号Ｅ７が停止するようになる。
【００９３】
火災／ＣＯ／ガス漏れ優先判断回路２９は、ガス漏れ判断信号Ｅ７以外にＣＯ判断信号Ｅ６又は火災判断信号Ｅ５が得られたとき、この実施形態にあっては、火災判断信号Ｅ５及びＣＯ判断信号Ｅ６を優先させる。
【００９４】
火災判断信号Ｅ５又はＣＯ判断信号Ｅ６がなければ、ガス漏れ判断信号Ｅ７に対応した優先出力すなわちリトリガブルタイマー回路２７のハイレベル出力を音声合成選択回路３０に出力する。
音声合成選択回路３０は、この場合はガス漏れ等の音声合成選択が行われ、入出力制御回路３３を介してガス漏れの音声合成選択信号を警報器本体回路３２に出力し、スピーカ３４より図６（Ｐ）のようなガス漏れが検知されたことの音声メッセージを出力させるが、識別を容易にするために、ガス漏れ表示灯が点滅するようにしてもよい。
【００９５】
またガス漏れ連動信号を受信した他の警報器にあっては、自分自身によるガス漏れ検知でないことから、音声合成選択回路３０からのガス漏れ音声合成選択信号に基づき、スピーカ３４より他の警報器でガス漏れが検知されたことを音声メッセージにより出力させるが、ガス漏れ表示灯は点灯・点滅しないようにすることで連動動作であることが判る。
【００９６】
警報器本体回路３２によるスピーカ３４からの音声メッセージは、検知信号入力回路３１に対して設けている音響停止／点検スイッチ４０をオン操作することで、図６（Ｑ）のようにスイッチ信号を出力して音声メッセージを停止することができる。
【００９７】
尚、入出力制御回路３３にあっては、音声合成選択回路３０からのガス漏れ音声合成の選択出力に対し、図６（Ｏ）のようにオンオフ制御して警報器本体回路３２によるスピーカ３４からの音声メッセージの出力をミュート制御して無音時のＳ／Ｎの改善を図っている。
【００９８】
図６のタイムチャートは警報器でガス漏れが検知された時を例にとるものであるが、ＣＯセンサ３８によりＣＯが検出された場合にも同様にＣＯ連動信号が連動信号線に出力され、このタイミングでＣＯ検出を行った警報器のタイミングに他の警報器のタイミングが同期され同期後に受信された連動信号からＣＯ連動信号を判別し他の警報器においてＣＯが検知されたことの音声メッセージを出力させる。
【００９９】
また火災センサ３７により火災が検知された場合には、連動信号線に対し継続的に火災連動信号が出力され、火災連動信号によっても他の警報器でタイミング信号の同期をとることが行われるが、この同期信号は火災連動信号の場合には格別意味がなく、火災信号判断回路２３で連動信号が例えば２００ｍｓｅｃ以上に継続していたときに火災判断信号Ｅ５を出力し、音声合成選択回路３０からの火災の音声合成選択出力により警報器本体回路３２がスピーカ３４から他の警報器で火災が検知されたことを音声メッセージにより出力する。
【０１００】
また図３の実施形態にあっては、ガスに関する２種類のＣＯ検知、ガス漏れ検知につき、ＣＯ検知の優先度を高い方に設定しているが、必要に応じてガス漏れ検知の方を高い優先度に設定しても良い。
【０１０１】
図７は、図３のタイミング生成部４に設けられる交流入力のゼロクロス検出を行う他の実施形態の回路図である。
【０１０２】
図７のゼロクロス検出の実施形態にあっては、ＡＣ１００Ｖとのアイソレーションをとるため、フォトカプラ４８を使用したことを特徴とする。フォトカプラ４８は入力側に逆向きに並列接続したフォトダイオードＰＤ１，ＰＤ２を有し、この２つのフォトダイオードＰＤ１，ＰＤ２の発光出力を受けてオンするフォトトランジスタＰＴを設けている。フォトダイオードＰＤ１，ＰＤ２側には抵抗Ｒ５を介してＡＣ１００Ｖが入力される。
【０１０３】
フォトカプラ８発光ダイオードＰＤ１は、図４（Ａ）の交流入力の場合、その正の半サイクル期間で導通して発光する。これに対しフォトダイオードＰＤ２は負の半サイクル期間で導通して発光する。
【０１０４】
フォトトランジスタＰＴは、フォトダイオードＰＤ１が発光している正の半サイクル及びフォトダイオードＰＤ２が発光している負の半サイクルの間、光を受けてオンし、出力をほぼゼロボルトとする。
【０１０５】
交流入力のゼロクロスの時点ではフォトダイオードＰＤ１，ＰＤ２のいずれも発光しないことから、この時、フォトトランジスタＰＴはオフとなり、出力に対し抵抗Ｒ５を介して電源電圧Ｖｃｃが出力される。従って図４（Ａ）の交流入力に対し図４（Ｆ）のようなゼロクロス検出によるフォトカプラ出力が得られる。
【０１０６】
また電源プラグを差し替えて図４（Ｂ）のような交流入力の位相が逆転した場合にも図４（Ｄ）（Ｅ）のような半波整流のようなゼロクロスのタイミングズレを起こすことなく図４（Ａ）の交流入力の場合と同様、図４（Ｆ）のゼロクロスタイミングで立ち上がるフォトカプラ出力を得ることができる。
【０１０７】
図８は本発明の警報器の他の実施形態を示したブロック図であり、この実施形態にあっては図２におけるタイミング生成部４、リセット処理部６、連動信号受信判別部７さらには警報処理部８の各処理機能をＭＰＵ５０によるプログラム制御で実現するようにしたことを特徴とする。
【０１０８】
すなわちタイミング生成部４にあっては、ゼロクロス検出回路となるトランジスタＴＲ１までがハードウェアとして設けられており、トランジスタＴＲ１により検出されたゼロクロス検出信号がＭＰＵ５０により入力され、図３の１／１０分周回路１２、単安定マルチバイブレータ１３及び単安定マルチバイブレータ１４に相当する処理がプログラム制御により行われる。
【０１０９】
また連動信号出力部５にあっては、図３の優先処理／同期回路１７の部分がＭＰＵ５０側のプログラム制御により実現されており、それ以外の回路部は連動信号線に対するインタフェース回路として設けられている。
【０１１０】
また図３のリセット回路６ａ及び連動信号受信判別部７、更に警報処理部８については、センサ表示灯、スピーカを除く部分以外は、全てＭＰＵ５０によるプログラム制御により実現されている。
【０１１１】
図９は図８のＭＰＵ５０による同期タイミング生成処理のフローチャートであり、また図１０に図８の同期タイミング生成処理で得られたタイミング信号を使用した連動信号に関する制御処理のフローチャートを示している。
【０１１２】
この図９及び図１０のフローチャートが、図８のＭＰＵ５０において本発明の警報器における監視制御処理を実現するためのプログラムの処理手順を表している。
【０１１３】
図９の同期タイミング生成処理は、ステップＳ１で図８のトランジスタＴＲ１からのゼロクロス検出入力を監視しており、ゼロクロス検出入力があるとステップＳ２でカウンタｎを１０ｍｓにカウンタアップし、ステップＳ３で１／１０分周周期となる１００ｍｓに対象カウンタｎの値が達したか否かをチェックする。
【０１１４】
ステップＳ３で１００ｍｓに達するとステップＳ４でＣＯ同期タイマの出力動作を行わせる。このＣＯ同期タイマはパルス幅５ｍｓのタイマ表示を出力する。続いてステップＳ５でガス漏れ同期タイマの出力動作を行わせる。
【０１１５】
このガス漏れ同期タイマは、ＣＯ同期タイマの出力終了に同期してパルス幅５ｍｓのタイマ出力を生ずる。続いてステップＳ６でカウンタｎについてｎ＝１０ｍｓに初期化して再びステップＳ１に戻り、ゼロクロス検出入力ごとに同様の処理を繰り返す。
【０１１６】
この同期タイミング生成処理によって、図６（Ｅ）（Ｆ）に示すＣＯ同期タイミング及びガス漏れ同期のタイミングが生成される。
【０１１７】
次に図１０における処理動作を説明する。図１０にあっては、ステップＳ１で連動信号の受信の有無をチェックしており、連動信号を受信するとステップＳ２に進み、図９の同期タイミングの生成処理で使用している分周カウンタｎをリセットする。
【０１１８】
続いてステップＳ３でＣＯ同期タイミングか否かチェックし、もしＣＯ同期タイミングであればステップＳ４で連動信号の受信の有無をチェックする。連動信号が受信されるとこれはＣＯ連動信号であることからステップＳ５に進みＣＯ連動信号の受信を示すカウンタＡを１つカウントアップする。
【０１１９】
続いてステップＳ６でカウンタＡが２に達したか否かをチェックする。達していなければステップＳ７でガス漏れ同期タイミングか否かチェックする。ガス漏れ同期タイミングであればステップＳ８に進み連動信号の受信の有無をチェックする。この時、連動信号が受信されればこの連動信号はガス漏れ連動信号であることからステップＳ９に進み、ガス漏れ連動信号の受信を示すカウンタＢをひとつカウントアップする。続いてＳ１０でカウンタＢが２に達したか否かチェックし、達していなければステップＳ１に戻り処理を繰り返す。
【０１２０】
ステップＳ６でＣＯ連動信号の受信が２回路となってカウンタＡが２に達すると、ステップＳ１１に進みＣＯ連動を判別する。続いてステップＳ１２で火災判別中か否かをチェックし、火災判別中でなければステップＳ１３でＣＯ音声警報として、他の警報器でＣＯ検知が行われたことを示す音声メッセージを出力させる。
【０１２１】
一方、ステップＳ７〜Ｓ９の処理により、２回目のガス漏れ連動信号の受信が判別されてステップＳ１０でカウンタＢが２に達すると、ステップＳ１５でガス漏れ連動を判別し、ステップＳ１６で火災又はＣＯ判別中か否かチェックし、判別中でなければステップＳ１７で他の警報器でガス漏れ検知が行われたことの音声警報の出力を行わせる。
【０１２２】
もちろんステップＳ１２で火災判別中であれば、ステップＳ１４でＣＯ警報がキャンセルされ、同様にステップＳ１６で火災又はＣＯ判別中であればステップＳ１８でガス漏れ警報はキャンセルされる。
【０１２３】
尚、上記の実施形態は、ガスについてＣＯとガス漏れの２種類の検知を行っているが、いずれか一方の検知であっても良いし、更に検知する種類を増加させても良い。
【０１２４】
また上記の実施形態にあっては図６（Ｅ），（Ｆ）のように、分周パルスの１０ｍｓｅｃの区間を２つに分けてＣＯ同期信号とガス漏れ同期信号をパルス幅で５ｍｓｅｃで分割したタイミングとして位相を異ならせているが、１／１０分周パルスの周期Ｔ＝１００ｍｓｅｃの区間であれば、任意の重複しない位相で同期信号を発生させても良い。
【０１２５】
また図３の実施形態に示した火災信号判断回路２３、パルス幅検出回路２５、リトリガブルタイマー回路２７におけるそれぞれの設定時間は一例にすぎず、必要に応じて適宜の時間設定を行うことができる。
【０１２６】
また上記実施形態（又は請求項）では、所定パルス幅を持った「ガス漏れ信号」を送出することとしているが、これはガス漏れ信号に限定されるものではなく、例えば火災警報器の警報段階を多段とした多信号警報器において、第１段階の警報信号をＥ１として送出し、第２段階の信号をＥ２として送出することも可能である。
【０１２７】
これにより第１段階の警報信号を例えばトラブル信号と設定し、第２段階の警報信号を呼び警報と設定することもでき、従来よりきめ細かな火災警報の送出を行うことができる。
【０１２８】
さらにガス漏れ信号、火災信号以外にも、防犯センサや非常押し釦、ナースコール等の信号伝送に、本方式を応用することも可能である。例えば熱線センサなどの防犯センサに応用した場合、トラブル信号をＥ１として、予備警報をＥ２として送出し、侵入者警報を火災警報に代わって送出することができる。さらにこのように構成した防犯センサは、前記の火災ガス漏れ警報器と同じ信号線に接続することもでき、住居内の省線化を図ることができる。
【０１２９】
【発明の効果】
以上説明してきたように本発明によれば、火災とガス漏れ等の２種類の連動信号を他の警報器に出力して連動動作を行わせるために、火災検知で継続的に出力される火災連動信号に対し、ガス漏れ等についてはその連動信号の出力により他の警報器のタイミング信号の同期をとった後に、所定パルス幅で所定周期の繰り返しとなるガス漏れ等連動信号を出力することで、複数の警報器が同時にガス漏れ等連動信号を出力するような最悪条件であっても、ガス漏れ等連動信号は全く同じタイミングで同期制御の元に出力され、ガス漏れ等連動信号が時間的に連続することで継続出力される火災連動信号と区別できなくなるような不具合を解消でき、これによって火災連動信号とガス漏れ等連動信号の２種類の信号を同じ連動信号線を使用して送出することができ、連動型システムを構築する際の連動信号線を簡単にしてシステムコストを下げることができる。
【０１３０】
またガス漏れ等連動信号を出力する際の他の警報器とのタイミング信号の同期は、警報器を動作している商用交流電源のゼロクロス検出に基づいてタイミング信号を生成しており、このため連動信号の受信時にタイミング信号を生成する回路をリセットすることで、連動信号を送出した警報器に他の警報器のタイミング信号を簡単かつ確実に同期させることができる。
【図面の簡単な説明】
【図１】本発明の警報器を用いた連動型システムの説明図
【図２】本発明による警報器の基本構成を示したブロック図
【図３】本発明による警報器の実施形態を示した回路ブロック図
【図４】本発明における交流入力のゼロクロス検出を示したタイムチャート
【図５】本発明における交流入力のゼロクロス検出に基づく同期信号の生成を示したタイムチャート
【図６】図３の実施形態における各部の信号波形を示したタイムチャート
【図７】本発明におけるフォトカプラを用いた交流ゼロクロス検出の他の実施形態の回路図
【図８】ＭＰＵを用いた本発明による警報器の実施形態の回路ブロック図
【図９】図８のＭＰＵによる同期タイミング生成処理のフローチャート
【図１０】図８のＭＰＵによる監視制御処理のフローチャート
【図１１】火災警報器を用いた従来の連動型システムの説明図
【図１２】図１１の火災警報器で使用している連動用インタフェース回路の回路ブロック図
【図１３】火災とガス漏れを検知する警報器を用いた従来の連動型システムの説明図
【符号の説明】
１，１ａ〜１ｃ：警報器
２：電源プラグ
３：連動信号線
４：タイミング生成部
５：連動信号出力部
６：リセット処理部
７：連動信号受信判別部
８：警報処理部
９：電源トランス
１０：全波整流回路
１１：定電圧回路
１２：１／１０分周回路
１３，１４：単安定マルチバイブレータ
１５：整流回路
１６：１１Ｖ定電圧回路
１７：優先処理／同期回路
１８：連動信号出力回路
１９：連動信号受信回路
２０：５Ｖレベル変換回路
２１，２２：ＡＮＤ回路
２３：火災信号判断回路
２５：パルス幅検出回路
２６：２パルス連続検出回路
２７：リトリガブルタイマー回路
２８：ＣＯ判断回路
２９：火災／ＣＯ／ガス漏れ優先判断回路
３０：音声合成選択回路
３１：検知信号入力回路
３２：警報器本体回路
３３：入出力制御回路
３４：スピーカ
３５：表示灯制御回路
３６：音響停止／点検スイッチ制御回路
３７：火災センサ
３８：ＣＯセンサ
３９：ガス漏れセンサ
４０：音響停止／点検スイッチ
４１：電源表示灯
４２：火災表示灯
４３：ＣＯ表示灯
４４：ガス漏れ表示灯
４６：他の警報器
４８：フォトカプラ
５０：ＭＰＵ
【図１】
2004199546.tif 000003
【図２】
2004199546.tif 000004
【図３】
2004199546.tif 000005
【図４】
2004199546.tif 000006
【図５】
2004199546.tif 000007
【図６】
2004199546.tif 000008
【図７】
2004199546.tif 000009
【図８】
2004199546.tif 000010
【図９】
2004199546.tif 000011
【図１０】
2004199546.tif 000012
【図１１】
2004199546.tif 000013
【図１２】
2004199546.tif 000014
【図１３】
2004199546.tif 000015